(57)【要約】【課題】  光ディスクを記録媒体として用いる光ディスクビデオカメラにおいて、電力を供給するバッテリー位置を変える事で光ディスクビデオカメラを小型化する。  小型化できる光ディスクビデオカメラを提供する。【解決手段】  光ディスク１ａの垂直方向投影面に電力を供給するバッテリー１４の一部が重なるようにバッテリー１４を配置する。【選択図】  図１
2006157472.tif 000002
【特許請求の範囲】
【請求項１】
光ディスクに映像情報を記録する光ディスクビデオカメラであって、
前面に配され映像情報を取得する撮像手段と、
一方の側面に配され前記撮像手段が取得する映像情報を光ディスクに記録する記録手段と、
背面に配され前記記録手段を駆動する電力を供給する電力供給手段と、
を有し、
前記光ディスクの垂直方向投影面に前記電力供給手段が一部重なるように配置される、
光ディスクビデオカメラ。
【請求項２】
請求項１記載の光ディスクビデオカメラであって、
他方の側面に配され前記撮像手段が取得する映像情報を表示する液晶表示手段と、
を有し、
前記光ディスクの垂直方向投影面内で前記電力供給手段と前記液晶表示手段とが重ならないように配置される、
光ディスクビデオカメラ。
【請求項３】
請求項１又は２記載の光ディスクビデオカメラであって、
前記電力供給手段はバッテリーである、
光ディスクビデオカメラ。
【請求項４】
光ディスクに映像情報を記録する光ディスクビデオカメラであって、
前記光ディスクビデオカメラ本体に対して、
前面に映像情報を取得する撮像手段と、
一方の側面に前記撮像手段が取得する映像情報を光ディスクに記録する記録手段と、
背面に前記記録手段を駆動する電力を供給する電力供給手段が設置される設置面と、
が配置され、
前記光ディスクの垂直方向投影面内に前記設置面の一部が垂直に配置される、
光ディスクビデオカメラ。
【請求項５】
光ディスクに映像情報を記録する光ディスクビデオカメラであって、
映像情報を取得する撮像手段と、
前記撮像手段が取得する映像情報を光ディスクに記録する記録手段と、
前記記録手段を駆動する電力を供給する電力供給手段と、
を有し、
前記光ディスクの垂直方向投影面に前記電力供給手段が一部重なるように配置される、
光ディスクビデオカメラ。
【請求項６】
請求項５記載の光ディスクビデオカメラであって、
前記撮像手段が取得する映像情報を表示する液晶表示手段、
を有し、
前記光ディスクの垂直方向投影面内で前記電力供給手段と前記液晶表示手段とが重ならないように配置される、
光ディスクビデオカメラ。
【請求項７】
請求項５又は６記載の光ディスクビデオカメラであって、
前記電力供給手段はバッテリーである、
光ディスクビデオカメラ。
【請求項８】
請求項５乃至７記載の光ディスクビデオカメラであって、
前記光ディスクを挿入する開口手段、
を有し、
前記光ディスクに対し、前記開口手段の反対側に前記液晶手段が配置される、
光ディスクビデオカメラ。
【請求項９】
光ディスクに映像情報を記録する光ディスクビデオカメラであって、
映像情報を取得する撮像手段と、
前記撮像手段が取得する映像情報を光ディスクに記録する記録手段と、
前記記録手段を駆動する電力を供給する電力供給手段が設置される設置面と、
を有し、
前記光ディスクの垂直方向投影面内に前記設置面の一部が配置される、
光ディスクビデオカメラ。
【請求項１０】
撮影する映像情報を取り込むカメラレンズと、
前記映像情報を光ディスクに記録する光ディスク装置を備えた、
光ディスクビデオカメラであって、
前記光ディスクはカートリッジの無いベアディスクであり、
前記光ディスクビデオカメラに電力を供給するバッテリーが、
前記光ディスクの垂直方向投影面と一部重なるように配置される、
光ディスクビデオカメラ。
【請求項１１】
請求項１０記載の光ディスクビデオカメラの前記光ディスク装置は、
光ディスクにデータを書き込む光ヘッドと、
前記光ヘッドを前記光ディスクの半径方向に移動する駆動部を備え、
前記駆動部は前記バッテリーと反対側に配置される、
光ディスクビデオカメラ。
【発明の詳細な説明】
【技術分野】
【０００１】
本発明は、光ディスクビデオカメラに関する。
【背景技術】
【０００２】
本技術分野に関する背景技術としては、例えば、特開２００４−２１４７５２号公報がある。本公報は、課題として「光ディスク状記録媒体に情報を記録する撮影装置の小型化を図ることを目的する。」と記載されている。また、解決手段として「光ディスクを記録媒体とした撮影装置において、撮影装置の両側に配置された本体を構成する（カートリッジカバーではない）二つの構造部材にグリップベルト取り付け用の支持部を設けることとする。また、光ディスクを撮影方向に対して垂直に挿抜する構成とする。また、カートリッジとして、丸型のカートリッジを用いることを特徴とする。」と記載されている。
【０００３】
また、本技術分野に関する他の背景技術としては、例えば、特開平１１−２１５４１４号公報がある。本公報は、課題として「デジタルカメラにおいて、コンパクトさと操作性の良さを両立させる。」と記載されている。また、解決手段として「ＤＶＤディスクなどを挿入する記録媒体保持部と、表示部と、バッテリ部と、レンズ部との内で、表示部とバッテリ部とは、撮影時の操作者から投影した前記記録媒体保持部の投影面に収まるように配置して、前記レンズ部は、前記記録媒体保持部の側方に回転自在に配置して、構成をコンパクトにする。」と記載されている。
【０００４】
また、本技術分野に関する他の背景技術としては、例えば、特開２００１−５３９９４号公報がある。本公報は、課題として「カード型記録再生装置を内蔵するビデオカメラの薄型化を図ること。」と記載されている。また、解決手段として「カード型記録媒体１３に静止画データ等を記録、再生するカード型記録再生装置１４をカメラ本体２の撮影部４及びビューファインダー部５の下部で、メカデッキ部６及び／又は制御部９と液晶モニター部１０との間のデッドスペースとなっていた空間１５内にこれらとほぼ平行に配置さたもの。」と記載されている。
【０００５】
【特許文献１】特開２００４−２１４７５２号公報
【特許文献２】特開平１１−２１５４１４号公報
【特許文献３】特開２００１−５３９９４号公報
【発明の開示】
【発明が解決しようとする課題】
【０００６】
近年、磁気テープに代わり、光ディスクを記録媒体とする光ディスクビデオカメラ（以下、単に、カメラという）が製品化されている。このカメラは、例えば記録媒体として直径８０ｍｍのＤＶＤ-ＲＡＭディスクを使用する。
【０００７】
従来のカメラにおける、カメラレンズ部、光ディスク、光ディスク装置、液晶表示画面及びバッテリーの機能及び位置関係を以下に説明する。
【０００８】
なお、従来のカメラの斜視図（以下単に斜視図）を図１２に、従来のカメラの上面図（以下単に上面図）を図１４に、従来のカメラの側面図（以下単に側面図）を図１６に示す。また、それぞれの図から外観ケース類を取り除いた図を、図１３、図１５、図１７に示す。さらに、図１７からカートリッジ付光ディスク１と光ディスクホルダ２を取り除いた図を図１８に示す。
【０００９】
まずは、カメラレンズ部について説明する。カメラレンズ部１００は、主として映像情報を取り込む。そして、その配置は、カメラ本体の前方上方部に位置することが多い。
【００１０】
次に、光ディスクについて説明する。従来のカメラで使用するカートリッジ付光ディスク１は、図２０に示すように、光ディスク本体１ａとカートリッジ１ｃにより構成される。光ディスク本体１ａは、ディスクモータ４上に位置決めするための穴１ｂを有する。カートリッジ１ｃは、光ディスク装置３上の所定の位置に位置決めするための穴１ｄ、１ｅを有する。図２１は、カートリッジ付光ディスク１の斜視図である。位置決め穴１ｄ、１eは、カートリッジ１ｃの両側に設けられている。これにより、カートリッジ付光ディスク１は、両面どちらでも光ディスク装置上に位置決め出来るようになっている。そして、その配置はカメラ本体の側面に位置することが多い。また、カートリッジ１ｃは開口部１ｆが設けられており、光ディスク１ａが一部露出している。この開口部１ｆを利用して、光ディスク装置３に設けられた光ヘッド５は、光ディスク１ａにレーザを照射し映像情報を記録・再生する。
【００１１】
次に、光ディスク装置について説明する。光ディスク装置３上に備えられた光ヘッド５は、メインガイドバー１０及びサブガイドバー１１により保持されている。そして、光ヘッド５は、図示しないシークモータの動力によって光ディスク半径方向に移動可能である。実際に映像情報の記録・再生を行う場合、ディスクモータ４によって光ディスク１ａを回転させ、光ヘッド５からレーザ光を光ディスク１ａに照射し、図示しないシークモータにより光ヘッド５を光ディスク１ａの半径方向に動かしながらディスク内周から外周に向かって記録・再生する。そして、その配置は前述した、光ディスクと近い位置に配置されることが多い。
【００１２】
次に、液晶表示画面について説明する。液晶表示画面２００は、レンズ部１００が撮る映像を表示したり、光ディスク装置３が再生する映像情報を表示する。そして、その配置は、光ディスク１に対しディスクカバー１９と反対側に配置されることが多い。
【００１３】
最後に、バッテリーについて説明する。このような構成のカメラにおいて電力を供給するバッテリーは、電力は５Ｗ程であり、他の携帯電子機器（例えば、ポータブルＣＤ等）に比べ、通常はその容積が大きい。そして、その配置は、カメラ本体後方部に位置することが多い。
【００１４】
図１５、１７に示すように、従来の光ディスクビデオカメラは、バッテリーがディスク垂直方向投影面と重ならないように配置されている。しかし、（１）一般的にビデオカメラは、取扱い易さや携帯性の観点から、出来る限り小型化が求められている。また、（２）バッテリーがディスク垂直方向投影面と重ならないように配置されているときは、バッテリーが光ディスクビデオカメラの後方側に突出することが多い。これによりユーザがビューファインダ１３を覗くときに、バッテリーの熱を感じ好ましいことではない。
【００１５】
そこで、本発明は、光ディスクビデオカメラの使い勝手を向上することを目的とする。
【課題を解決するための手段】
【００１６】
上記目的は、特許請求の範囲に記載の発明によって達成される。
【発明の効果】
【００１７】
本発明によれば、光ディスクビデオカメラの使い勝手を向上することができる。
【発明を実施するための最良の形態】
【００１８】
本発明の実施例を図１から図１１を用いて説明する。
【００１９】
なお、図１２から図２１にて説明した光ディスクビデオカメラと同様の機能を持つ要素には、構成が異なることもあるが、便宜上同じ数字を付与し、詳細な説明は省略する。
【００２０】
図１は、本実施例の光ディスクビデオカメラの外観斜視図である。図２は、本実施例の光ディスクビデオカメラのディスクカバー開状態かつ光ディスク装着前の斜視図である。図３は、本実施例の光ディスクビデオカメラのディスクカバー開状態かつ光ディスク装着後の斜視図である。図４は、図３から外装ケース類を取り除いた図である。図５は、本実施例の光ディスクビデオカメラの側面図である。図６は、図５から外装ケース類を取り除いた図である。図７は、本実施例の光ディスクビデオカメラの上面図である。図８は、図７から外装ケース類を取り除いた図である。
【００２１】
本実施例の光ディスクビデオカメラにおいては、映像情報を取り込むカメラレンズ１２と、映像情報を光ディスク１ａに記録・再生する光ヘッド５、光ディスク１ａを回転させるディスクモータ１６からなる光ディスク装置１５と、光ディスクビデオカメラに電力を供給するバッテリー１４と、ビューファインダと、液晶表示画面と、から構成される。
【００２２】
映像情報の記録・再生を開始する前に、ディスクカバー１９を開け、光ディスク１ａは光ディスク装置１５上に装着される。光ディスク１ａの穴１ｂにディスクモータ１６上のディスク保持機構部１６ｂを挿入する。そして、ユーザが、光ディスク１ａを図３に示す垂直方向に押すと、光ディスク１ａはディスク保持機構部１６ｂに設けられたツメ１６ｃ（３ヶ所）によりディスクモータ１６のターンテーブル１６ａ上に保持される。その後、ユーザが、ディスクカバー１９を閉じると映像情報の記録・再生が可能となる。
【００２３】
光ヘッド５は、光ディスク装置１５に設けられたメインガイドバー１０及びサブガイドバー１１により光ディスク半径方向（図６参照）に移動可能に設置されている。光ディスク装置１５には、光ヘッド５を移動させる駆動源として、ボールネジ部（以下リードスクリュー１８）を具備したシークモータ１７が設けられており、前期シークモータ１７の駆動力は、リードスクリュー１８から、光ヘッドに備えられたリードラック２１に伝えられる。映像情報の記録を光ディスク１ａに行う場合は、ディスクモータ１６によって光ディスク１ａを回転させ、光ヘッド５からレーザ光を光ディスク１ａに照射し、シークモータ１７により光ヘッド５を光ディスクの半径方向（図６参照）に動かしながらディスク内周から外周に向かって記録する。
【００２４】
ここで、本発明の光ディスクビデオカメラはカートリッジを持たないベア光ディスク１ａ対応としたために、従来の光ディスク装置３に設けられていたカートリッジ１ｃ位置決め用ピン６,７や載置面６ａ,７ａ,８，９また光ディスクホルダ２が不要になった。図１０は従来の光ディスク装置３と本発明の光ディスク装置１５の形状比較図である。本発明の光ディスク装置１５は光ヘッド５及び前記光ヘッド５の保持部材・駆動機構の設置されている側と反対側の形状を大きく削った。
【００２５】
本実施例の光ディスクビデオカメラにおいては図６、８の様にバッテリー１４のレイアウトを設定し、光ディスクの垂直方向投影面と一部重なる様に配置した。図６,８中の２０はその重なった部分を示している。図１１は本実施例の効果を示すもので、従来の光ディスクビデオカメラではバッテリーが光ディスク垂直方向投影面に重ならない位置に配置していたが、本実施例の光ディスクビデオカメラでは光ディスク垂直方向投影面と一部重なる様に配置しているので製品の小型化が可能となっている。また、前記バッテリー位置に対して光ディスク装置の光ヘッド５及び前記光ヘッド５の保持部材・駆動機構は光ディスク回転中心軸に対して反対側にある。なお、ビデオカメラ本体とバッテリーとの設置面は、光ディスクの垂直方向投影面内に前記設置面の一部が配置されるような構成としても良い。また、本実施例では、図１１からわかるようにバッテリー１４と液晶画面２００は光ディスク垂直方向投影面内で重ならないように配置されている。これにより、バッテリーを液晶画面と重なる位置まで潜り込ませるときに比べ光ディスクビデオカメラの薄型化が可能となる。
【００２６】
本実施例により、バッテリーが光ディスク垂直方向投影面上に配置されないときに比べ、ディスク中心からのバッテリー重量によるモーメントが小さくなり、ユーザの持ちやすいカメラとなる。また、バッテリーが光ディスク垂直方向投影面上に配置されないときに比べ、バッテリーがカメラ本体にまとまりよく配置されているため、落下衝撃等に有利に働く。さらに、ユーザがビューファインダを使用しようとする際に、バッテリーが光ディスク垂直方向投影面上に配置されないときに比べ、バッテリーの熱を感じずらくなる。また、ビューファインダのスライド距離も小さくて済む。
【００２７】
また、光ディスクビデオカメラ本体に対して、前面に映像情報を取得する撮像手段と、一方の側面に前記撮像手段が取得する映像情報を光ディスクに記録する記録手段と、背面に前記記録手段を駆動する電力を供給する電力供給手段と、が配置され光ディスクの垂直方向投影面に電力供給手段が一部重なるように配置されることにより、ビデオカメラの高さをディスク径とほぼ同等の高さとすることができると共に、一方の側面をユーザが保持するときにも持ちやすい形状となる。
【００２８】
また、光ディスクビデオカメラ本体に対して、他方の側面に前記撮像手段が取得する映像情報を表示する液晶表示手段が配置され、光ディスクの垂直方向投影面内で前記電力供給手段と前記液晶表示手段とが重ならないように配置されることにより、ビデオ本体の背面側からみたビデオ本体の幅を薄くすることができる。
【００２９】
また、光ディスクビデオカメラ本体に対して、前面に映像情報を取得する撮像手段と、一方の側面に撮像手段が取得する映像情報を光ディスクに記録する記録手段と、背面に記録手段を駆動する電力を供給する電力供給手段が設置される設置面と、が配置され光ディスクの垂直方向投影面内に前記設置面の一部が垂直に配置されることにより、他方の面を有効利用することができ、表示部や各種撮影に必要なボタン等を配置することができ、ユーザの使い勝手が向上する。
【図面の簡単な説明】
【００３０】
【図１】本実施例の光ディスクビデオカメラの外観斜視図
【図２】本実施例の光ディスクビデオカメラのディスクカバー開状態かつ光ディスク装着前の斜視図
【図３】本実施例の光ディスクビデオカメラのディスクカバー開状態かつ光ディスク装着後の斜視図
【図４】図３から外装ケース類を取り除いた図
【図５】本実施例の光ディスクビデオカメラの側面図
【図６】図５から外装ケース類を取り除いた図
【図７】本実施例の光ディスクビデオカメラの上面図
【図８】図７から外装ケース類を取り除いた図
【図９】従来の光ディスクビデオカメラの光ディスク装置
【図１０】比較図（１）
【図１１】比較図（２）
【図１２】従来の光ディスクビデオカメラの斜視図
【図１３】図１２から外装ケース類を取り除いた図
【図１４】従来の光ディスクビデオカメラの上面図
【図１５】図１４から外装ケース類を取り除いた図
【図１６】従来の光ディスクビデオカメラの側面図
【図１７】図１６から外装ケース類を取り除いた図
【図１８】図１７からカートリッジ付光ディスク１と光ディスクホルダ２を取り除いた図
【図１９】図１８の斜視図で光ディスクの位置決め方法説明図
【図２０】カートリッジ付光ディスク側面図及び断面図
【図２１】カートリッジ付光ディスクの斜視図
【符号の説明】
【００３１】
１・・・カートリッジ付光ディスク
２・・・光ディスクホルダ
３・・・従来の光ディスクビデオカメラの光ディスク装置
４・・・従来の光ディスク装置のディスクモータ
５・・・光ヘッド
６・・・カートリッジ位置決めピン
７・・・カートリッジ位置決めピン
８・・・カートリッジ載置面
９・・・カートリッジ載置面
１０・・・メインガイドバー
１１・・・サブガイドバー
１２・・・カメラレンズ
１３・・・ビューファインダー
１４・・・バッテリー
１５・・・本発明の光ディスク装置
１６・・・本発明の光ディスク装置のディスクモータ
１７・・・シークモータ
１８・・・ボールネジ（リードスクリュー）
１９・・・ディスクカバー
２０・・・光ディスク垂直方向投影面とバッテリーの重なる領域
２１・・・光ディスク垂直方向投影面とバッテリーの重なる領域
１００・・・レンズ部
２００・・・液晶表示画面
【図１】
2006157472.tif 000003
【図２】
2006157472.tif 000004
【図３】
2006157472.tif 000005
【図４】
2006157472.tif 000006
【図５】
2006157472.tif 000007
【図６】
2006157472.tif 000008
【図７】
2006157472.tif 000009
【図８】
2006157472.tif 000010
【図９】
2006157472.tif 000011
【図１０】
2006157472.tif 000012
【図１１】
2006157472.tif 000013
【図１２】
2006157472.tif 000014
【図１３】
2006157472.tif 000015
【図１４】
2006157472.tif 000016
【図１５】
2006157472.tif 000017
【図１６】
2006157472.tif 000018
【図１７】
2006157472.tif 000019
【図１８】
2006157472.tif 000020
【図１９】
2006157472.tif 000021
【図２０】
2006157472.tif 000022
【図２１】
2006157472.tif 000023